【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
光モジュールの二次元アレイを有するディスプレイにおいて用いるための光モジュールであって、
モジュール筐体と、
前記筐体内に装着されている複数の有色光エレメントと、
少なくとも３つの双方向データ・ポートと、
前記モジュール筐体内にあり前記データ・ポートの各々に結合されているコントローラであって、データ・ポートを通じて受け取ったデータおよび該データを受け取ったデータ・ポートの個別情報に応答して、前記二次元ディスプレイにおける光モジュールの位置を特定する、コントローラと、
を備えている、光モジュール。
【請求項２】
請求項１記載の光モジュールにおいて、受取側光モジュールが受け取る前記データは、受取側光モジュールが受け取ったデータの発生源であるソース光源モジュールの行番号および列番号の個別情報を表すデータを含み、前記受取側光モジュールは複数のデータ・ポートを含み、前記データ・ストリームが前記データ・ポートの１つを通じて受け取られた場合、該受取側光モジュールが、その列番号をソース光モジュールの列番号に設定し、その行番号を、前記ソース光モジュールの行番号を所定値だけインクリメントした値に設定することによって、前記ディスプレイにおけるその位置を特定する、光モジュール。
【請求項３】
請求項１記載の光モジュールにおいて、受取側光モジュールが受け取る前記データは、受取側光モジュールが受け取ったデータの発生源であるソース光モジュールの行番号および列番号の個別情報を表すデータを含み、前記受取側光モジュールは複数のデータ・ポートを含み、前記データ・ストリームが前記データ・ポートの１つを通じて受け取られた場合、該受取側光モジュールが、その行番号をソース光モジュールの行番号に設定し、その列番号を、前記ソース光モジュールの列番号を所定値だけインクリメントした値に設定することによって、前記ディスプレイにおけるその位置を特定する、光モジュール。
【請求項４】
請求項１記載の光モジュールにおいて、受取側光モジュールが受け取る前記データは、受取側光モジュールが受け取ったデータの発生源であるソース光モジュールの行番号および列番号の個別情報を表すデータを含み、前記受取側光モジュールは複数のデータ・ポートを含み、前記データ・ストリームが前記データ・ポートの１つを通じて受け取られた場合、該受取側光モジュールが、その行番号をソース光モジュールの行番号から所定値だけデクリメントした値に設定し、その列番号を、前記ソース光モジュールの列番号に設定することによって、前記ディスプレイにおけるその位置を特定する、光モジュール。
【請求項５】
請求項１記載の光モジュールにおいて、受取側光モジュールが受け取る前記データは、受取側光モジュールが受け取ったデータの発生源であるソース光モジュールの行番号および列番号の個別情報を表すデータを含み、前記受取側光モジュールは複数のデータ・ポートを含み、前記データ・ストリームが前記データ・ポートの１つを通じて受け取られた場合、該受取側光モジュールが、その列番号をソース光モジュールの列番号から所定値だけデクリメントした値に設定し、その行番号を、前記ソース光モジュールの行番号に設定することによって、前記ディスプレイにおけるその位置を特定する、光モジュール。
【請求項６】
請求項１記載の光モジュールにおいて、受取側光モジュールが受け取る前記データは、受取側光モジュールが受け取ったデータの発生源であるソース光モジュールの行番号および列番号の個別情報を表すデータを含み、前記受取側光モジュールは少なくとも第１データ・ポートと、第２データ・ポートと、第３データ・ポートと、第４データ・ポートとを含み、該受取側光モジュールが、
前記データ・ストリームを前記第１データ・ポートを通じて受け取った場合、その列番号をソース光モジュールの列番号に設定し、その行番号を、前記ソース光モジュールの行番号を所定値だけインクリメントした値に設定することによって、
前記データ・ストリームを前記第２データ・ポートを通じて受け取った場合、その行番号をソース光モジュールの行番号に設定し、その列番号を、前記ソース光モジュールの列番号を所定値だけインクリメントした値に設定することによって、
前記データ・ストリームを前記第３データ・ポートを通じて受け取った場合、その行番号をソース光モジュールの行番号から所定値だけデクリメントした値に設定し、その列番号を、前記ソース光モジュールの列番号に設定することによって、
前記データ・ストリームを前記第４データ・ポートを通じて受け取った場合、その列番号をソース光モジュールの列番号から所定値だけデクリメントした値に設定し、その行番号を、前記ソース光モジュールの行番号に設定することによって、
前記ディスプレイにおけるその位置を特定する、光モジュール。
【請求項７】
請求項１記載の光モジュールにおいて、前記コントローラは、前記データ・ポートの少なくとも１つを通じて受け取ったデータ・ストリームから、その特定した位置と関連のあるデータを抽出する、光モジュール。
【請求項８】
請求項７記載の光モジュールにおいて、前記コントローラは、前記データを抽出した前記データ・ストリームを受け取ったデータ・ポート以外の少なくとも２つのデータ・ポートにおいて、前記受け取ったデータ・ストリームの内少なくとも他の光モジュールに宛てられた部分を出力する、光モジュール。
【請求項９】
請求項１記載の光モジュールにおいて、前記光エレメントはＬＥＤであり、前記データ・ポートは、第１データ・ポートと、第２データ・ポートと、第３データ・ポートと、第４データ・ポートとを含み、更に、前記第１データ・ポートにおいて受け取ったデータ・ストリームからのデータにしたがって、前記光モジュールのＬＥＤの彩度を制御するために、前記コントローラに結合されている回路を含み、前記コントローラは、前記受け取ったデータ・ストリームの少なくとも一部を、前記第２データ・ポート、第３データ・ポート、および第４データ・ポートにおいて出力する、光モジュール。
【請求項１０】
請求項９記載の光モジュールにおいて、前記コントローラは、前記第２データ・ポート、第３データ・ポート、および／または第４データ・ポートにおいて１つ以上の他の光モジュールから受け取ったステータス情報に応答して、前記受け取ったステータス・メッセージを前記第１データ・ポート上に出力する、光モジュール。
【請求項１１】
光モジュールの二次元アレイを有するディスプレイにおいて用いるための光モジュールであって、前記光モジュールの第１グループが、
モジュール筐体と、
前記筐体内に装着されている複数の有色光エレメントと、
少なくとも３つの双方向データ・ポートと、
前記モジュール筐体内にあり前記データ・ポートの各々に結合されているコントローラであって、データ・ポートを通じて受け取ったデータおよび該データを受け取ったデータ・ポートの個別情報に応答して、前記二次元ディスプレイにおける前記光モジュールの列番号および行番号を特定する、コントローラと、
を備えている、光モジュール。
【請求項１２】
光モジュールの二次元アレイを有するディスプレイにおいて用いるための光モジュールであって、前記光モジュールの第１グループが、
モジュール筐体と、
前記筐体内に装着されている複数の有色光エレメントと、
少なくとも３つの双方向データ・ポートと、
前記モジュール筐体内にあり前記データ・ポートの各々に結合されているコントローラであって、データ・ポートを通じて受け取ったデータおよび該データを受け取ったデータ・ポートの個別情報に応答して、前記二次元ディスプレイにおける前記光モジュールの列番号およびセグメント番号を特定する、コントローラと、
を備えている、光モジュール。
【請求項１３】
請求項１２記載の光モジュールにおいて、受取側光モジュールが受け取る前記データは、受取側光モジュールが受け取ったデータの発生源であるソース光モジュールのセグメント番号および列番号の個別情報を表すデータを含み、前記受取側光モジュールは複数のデータ・ポートを含み、前記データ・ストリームが前記データ・ポートの１つを通じて受け取られた場合、前記受取側光モジュールが、その列番号を前記ソース光モジュールの列番号に設定し、そのセグメント番号を、前記ソース光モジュールのセグメント番号を所定値だけインクリメントした値に設定することによって、その列番号およびセグメント番号を特定する、光モジュール。
【請求項１４】
請求項１２記載の光モジュールにおいて、受取側光モジュールが受け取る前記データは、受取側光モジュールが受け取ったデータの発生源であるソース光モジュールのセグメント番号および列番号の個別情報を表し、前記受取側光モジュールは複数のデータ・ポートを含み、前記データ・ストリームが前記データ・ポートの１つを通じて受け取られた場合、前記受取側光モジュールが、そのセグメント番号を前記ソース光モジュールのセグメント番号に設定し、その列番号を、前記ソース光モジュールの列番号を所定値だけインクリメントした値に設定することによって、その列番号およびセグメント番号を特定する、光モジュール。
【請求項１５】
請求項１２記載の光モジュールにおいて、受取側光モジュールが受け取る前記データは、受取側光モジュールが受け取った前記データの発生源であるソース光モジュールのセグメント番号および列番号の個別情報を表すデータを含み、前記受取側光モジュールは複数のデータ・ポートを含み、前記データ・ストリームが前記データ・ポートの１つを通じて受け取られた場合、前記受取側光モジュールが、そのセグメント番号を前記ソース光モジュールのセグメント番号から所定値だけデクリメントした値に設定し、その列番号を、前記ソース光モジュールの列番号に設定することによって、その列番号およびセグメント番号を特定する、光モジュール。
【請求項１６】
請求項１２記載の光モジュールにおいて、受取側光モジュールが受け取る前記データは、受取側光モジュールが受け取ったデータの発生源であるソース光モジュールのセグメント番号および列番号の個別情報を表すデータを含み、前記受取側光モジュールは複数のデータ・ポートを含み、前記データ・ストリームが前記データ・ポートの１つを通じて受け取られた場合、前記受取側光モジュールが、その列番号を前記ソース光モジュールの列番号から所定値だけデクリメントした値に設定し、そのセグメント番号を、前記ソース光モジュールのセグメント番号に設定することによって、その列番号およびセグメント番号を特定する、光モジュール。
【請求項１７】
請求項１２記載の光モジュールにおいて、受取側光モジュールが受け取る前記データは、受取側光モジュールが受け取った前記データの発生源であるソース光モジュールのセグメント番号および列番号の個別情報を表すデータを含み、前記受取側光モジュールは少なくとも第１データ・ポートと、第２データ・ポートと、第３データ・ポートと、第４データ・ポートとを含み、該受取側光モジュールが、
前記データ・ストリームを前記第１データ・ポートを通じて受け取った場合、その列番号を前記ソース光モジュールの列番号に設定し、そのセグメント番号を、前記ソース光モジュールのセグメント番号を所定値だけインクリメントした値に設定することによって、
前記データ・ストリームを前記第２データ・ポートを通じて受け取った場合、そのセグメント番号を前記ソース光モジュールのセグメント番号に設定し、その列番号を、前記ソース光モジュールの列番号を所定値だけインクリメントした値に設定することによって、
前記データ・ストリームを前記第３データ・ポートを通じて受け取った場合、そのセグメント番号を前記ソース光モジュールのセグメント番号から所定値だけデクリメントした値に設定し、その列番号を、前記ソース光モジュールの列番号に設定することによって、
前記データ・ストリームを前記第４データ・ポートを通じて受け取った場合、その列番号を前記ソース光モジュールの列番号から所定値だけデクリメントした値に設定し、そのセグメント番号を、前記ソース光モジュールのセグメント番号に設定することによって、
前記ディスプレイにおけるその位置を特定する、光モジュール。
【請求項１８】
請求項１２記載の光モジュールにおいて、前記ディスプレイは、光モジュールの第２グループを含み、各光モジュールが、モジュール筐体と、該モジュール筐体内に装着されている複数の有色光エレメントとを含み、前記第２組の複数の光モジュールが、前記第１グループの光モジュールの内関連のある１つに結合され、そこからデータを受け取るようにした、光モジュール。
【請求項１９】
請求項１２記載の光モジュールであって、更に、光モジュールの第２グループを含み、１つのセグメントが、前記第１グループからの１つの光モジュールと、前記第２グループからの複数の光モジュールとを含み、前記第２グループの光モジュールは、各々、モジュール筐体と、該筐体内に装着されている複数の有色光エレメントとを含み、前記セグメントにおける前記第１グループからの光モジュールから受け取ったデータによって、前記光エレメントを制御する、光モジュール。
【請求項２０】
二次元アレイにおける光モジュールの位置を特定する方法であって、
受取側光源において、受け取ったデータの発生源であるソース光源モジュールの行番号および列番号の個別情報を表すデータを受け取るステップと、
データ・ストリームが複数のデータ・ポートの１つを通じて受け取られた場合、前記受取側光源の列番号をソース光モジュールの列番号に設定し、その行番号を、前記ソース光モジュールの行番号を所定値だけインクリメントした値に設定するステップと、
を備えている、方法。
【請求項２１】
二次元アレイにおける光モジュールの位置を特定する方法であって、
受取側光源において、受け取ったデータの発生源であるソース光モジュールの行番号および列番号の個別情報を表すデータを受け取るステップと、
データ・ストリームが複数のデータ・ポートの内１つを通じて受け取られた場合、前記受取側光源の行番号をソース光モジュールの行番号に設定し、その列番号を、前記ソース光モジュールの列番号を所定値だけインクリメントした値に設定するステップと、
を備えている、方法。
【請求項２２】
二次元アレイにおける光モジュールの位置を特定する方法であって、
受取側光源において、受け取ったデータの発生源であるソース光モジュールの行番号および列番号の個別情報を表すデータを受け取るステップと、
前記データ・ストリームが複数のデータ・ポートの内１つを通じて受け取られた場合、前記受取側光源の行番号をソース光モジュールの行番号から所定値だけデクリメントした値に設定し、その列番号を、前記ソース光モジュールの列番号に設定するステップと、
を備えている、方法。
【請求項２３】
二次元アレイにおける光モジュールの位置を特定する方法であって、
受取側光源において、受け取ったデータの発生源であるソース光モジュールの行番号および列番号の個別情報を表すデータを受け取るステップと、
データ・ストリームが複数のデータ・ポートの内１つを通じて受け取られた場合、前記受取側光源の列番号をソース光モジュールの列番号から所定値だけデクリメントした値に設定し、その行番号を、前記ソース光モジュールの行番号に設定するステップと、
を備えている、方法。
【請求項２４】
二次元アレイにおける光モジュールの位置を特定する方法であって、
受取側光源において、受け取ったデータの発生源であるソース光モジュールの行番号および列番号の個別情報を表すデータを受け取るステップと、
前記データ・ストリームが第１データ・ポートを通じて受け取られた場合、前記受取側光源の列番号をソース光モジュールの列番号に設定し、その行番号を、前記ソース光モジュールの行番号を所定値だけインクリメントした値に設定するステップと、
前記データ・ストリームが第２データ・ポートを通じて受け取られた場合、前記受取側光源の行番号をソース光モジュールの行番号に設定し、その列番号を、前記ソース光モジュールの列番号を所定値だけインクリメントした値に設定するステップと、
前記データ・ストリームが第３データ・ポートを通じて受け取られた場合、前記受取側光源の行番号をソース光モジュールの行番号から所定値だけデクリメントした値に設定し、その列番号を、前記ソース光モジュールの列番号に設定するステップと、
前記データ・ストリームが第４データ・ポートを通じて受け取られた場合、その列番号をソース光モジュールの列番号から所定値だけデクリメントした値に設定し、その行番号を、前記ソース光モジュールの行番号に設定するステップと、
を備えている、方法。
【請求項２５】
二次元アレイにおける光モジュールの位置を特定する方法であって、
受取側光源において、受け取ったデータの発生源であるソース光モジュールのセグメント番号および列番号の個別情報を表すデータを受け取るステップと、
データ・ストリームが複数のデータ・ポートの内１つを通じて受け取られた場合、前記受取側光源の列番号をソース光モジュールの列番号に設定し、そのセグメント番号を、前記ソース光モジュールのセグメント番号を所定値だけインクリメントした値に設定するステップと、
を備えている、方法。
【請求項２６】
二次元アレイにおける光モジュールの位置を特定する方法であって、
受取側光源において、受け取ったデータの発生源であるソース光モジュールのセグメント番号および列番号の個別情報を表すデータを受け取るステップと、
データ・ストリームが複数のデータ・ポートの内１つを通じて受け取られた場合、前記受取側光源のセグメント番号をソース光モジュールのセグメント番号に設定し、その列番号を、前記ソース光モジュールの列番号を所定値だけインクリメントした値に設定するステップと、
を備えている、方法。
【請求項２７】
二次元アレイにおける光モジュールの位置を特定する方法であって、
受取側光源において、受け取ったデータの発生源であるソース光モジュールのセグメント番号および列番号の個別情報を表すデータを受け取るステップと、
データ・ストリームが複数のデータ・ポートの内１つを通じて受け取られた場合、前記受取側光源のセグメント番号をソース光モジュールのセグメント番号から所定値だけデクリメントした値に設定し、その列番号を、前記ソース光モジュールの列番号に設定するステップと、
を備えている、方法。
【請求項２８】
二次元アレイにおける光モジュールの位置を特定する方法であって、
受取側光源において、受け取ったデータの発生源であるソース光モジュールのセグメント番号および列番号の個別情報を表すデータを受け取るステップと、
データ・ストリームが複数のデータ・ポートの内１つを通じて受け取られた場合、前記受取側光源の列番号をソース光モジュールの列番号から所定値だけデクリメントした値に設定し、そのセグメント番号を、前記ソース光モジュールのセグメント番号に設定するステップと、
を備えている、方法。
【請求項２９】
二次元アレイにおける光モジュールの位置を特定する方法であって、
受取側光源において、受け取ったデータの発生源であるソース光モジュールのセグメント番号および列番号の個別情報を表すデータを受け取るステップと、
データ・ストリームが第１データ・ポートを通じて受け取られた場合、前記受取側光源の列番号をソース光モジュールの列番号に設定し、そのセグメント番号を、前記ソース光モジュールのセグメント番号を所定値だけインクリメントした値に設定するステップと、
前記データ・ストリームが第２データ・ポートを通じて受け取られた場合、前記受取側光源のセグメント番号をソース光モジュールのセグメント番号に設定し、その列番号を、前記ソース光モジュールの列番号を所定値だけインクリメントした値に設定するステップと、
前記データ・ストリームが第３データ・ポートを通じて受け取られた場合、前記受取側光源のセグメント番号をソース光モジュールのセグメント番号から所定値だけデクリメントした値に設定し、その列番号を、前記ソース光モジュールの列番号に設定するステップと、
前記データ・ストリームが第４データ・ポートを通じて受け取られた場合、前記受取側光源の列番号をソース光モジュールの列番号から所定値だけデクリメントした値に設定し、そのセグメント番号を、前記ソース光モジュールのセグメント番号に設定するステップと、
を備えている、方法。